(57)【要約】      （修正有）【課題】装着時、足裏や第１趾〜第５趾に縫い目等の接合部材が触れることのない外反母趾用サポーターの製造方法の提供。【解決手段】入江状切欠部１１と、入江状切欠部の一方の側に連成された止着片部形成用領域１３及び足挿入筒状部形成用領域１４と、他方の側に連成された固定ベルト部形成用領域１５と、奥部に連成された親指挿入筒状部形成用略半円状突出部とを有する一枚裁ち帯状生地を用い、足挿入筒状部形成用領域を止着片部形成用領域方向に折り返し、端辺縁部を略半円状突出部の足挿入筒状部形成用領域側基部からの垂下線に沿う位置に接合し、止着片部を形成する工程、略半円状突出部の略中央を回転軸として固定ベルト部形成用領域１５を入江状切欠部の手前側に１回転させ、略半円状突出部の固定ベルト部形成用領域側基部からの垂下線に沿う部分を足挿入筒状部形成用領域の端辺縁部接合部位に接合して、固定ベルト部を形成する工程を含む製造方法。【選択図】図１
2019176885.tif 000002
【特許請求の範囲】
【請求項１】
略中央部に形設された入江状切欠部と、当該入江状切欠部の一方の側に連成された止着片部形成用領域及び足挿入筒状部形成用領域と、当該入江状切欠部の他方の側に連成された固定ベルト部形成用領域と、当該入江状切欠部の奥部に連成された親指挿入筒状部形成用略半円状突出部とを有する一枚裁ち帯状生地を用い、
当該足挿入筒状部形成用領域を止着片部形成用領域方向に折り返し、その端辺縁部を当該略半円状突出部の足挿入筒状部形成用領域側基部からの垂下線に沿う位置に接合して、足挿入筒状部と共に止着片部を形成する工程（１）、及び当該略半円状突出部の略中央を回転軸として固定ベルト部形成用領域を当該入江状切欠部の手前側に１回転させてから、当該略半円状突出部の固定ベルト部形成用領域側基部からの垂下線に沿う部分を当該足挿入筒状部形成用領域の端辺縁部接合部位に合わせて接合して、親指挿入筒状部と共に固定ベルト部を形成する工程（２）を含むことを特徴とする外反母趾用サポーターの製造方法。
【請求項２】
前記固定ベルト部の端部に面ファスナーとして機能するパイル生地片を縫着すると共に、前記足挿入筒状部の外面部に当該パイル生地片内面との止脱用面ファスナーを付設し、さらに前記止着片部の内面部に当該パイル生地片外面との止脱用面ファスナーを付設する工程をさらに含むことを特徴とする請求項１記載の外反母趾用サポーターの製造方法。
【請求項３】
前記固定ベルト部に、外反母趾用サポーター装着時足裏に当接するパッドを付設する工程をさらに含むことを特徴とする請求項１又は２記載の外反母趾用サポーターの製造方法。
【請求項４】
前記パッドを面ファスナーとして機能するパイル生地と該生地との止脱用面ファスナーによって、任意の位置で取り外しできるように付設することを特徴とする請求項３記載の外反母趾用サポーターの製造方法。
【発明の詳細な説明】
【技術分野】
【０００１】
本発明は、外反母趾用サポーターの製造方法に関する。
【背景技術】
【０００２】
外反母趾は、足の第１趾（親指）の付け根の骨が外側に突き出し、第２趾（人差し指）のほうに「くの字」に曲がる前足部変形疾患である。外反母趾患者の主訴は変形より、むしろ疼痛、及びそれに起因する日常生活障害である。
【０００３】
そこで、従来、外反母趾による疼痛軽減等を目的としたサポーターが種々提案され、例えば、特許文献１には、同一寸法のエプロン形状をなす甲カバーと足裏カバーを縫って左右の前足部を挿入可能な空間を形成し、左右の親指同士を引っ張り合わせて外反母趾の矯正を可能にするサポーターが開示されている。
しかしながら、斯かるサポーターのように縫製された従来のものは、縫い目が足裏や趾に触れるため、当該縫い目により一層の痛みが生じてしまう問題があった。
【先行技術文献】
【特許文献】
【０００４】
【特許文献１】特開２０１６−８７３７５号公報
【発明の概要】
【発明が解決しようとする課題】
【０００５】
本発明は、上記の如き従来の問題に鑑みてなされたもので、装着時、足裏や第１趾〜第５趾に縫い目等の接合部材が触れることのない外反母趾用サポーターの製造方法を提供することを課題としている。
【課題を解決するための手段】
【０００６】
本発明者は、上記の課題を解決すべく種々研究を重ねた結果、入江状切欠部とその奥部に形成された半円状突出部を有する一枚裁ち帯状生地を用い、足挿入筒状部を当該入江状切欠部の左外側又は右外側の一方側を折り返し接合することにより形成すると共に、親指挿入筒状部を当該入江状切欠部の左外側又は右外側の他方側を手前側に１回転させて当該半円状突出部によって形成し、その状態を前記足挿入筒状部形成接合部位にて接合保持すれば、極めて良い結果が得られることを見い出し、本発明を完成した。
【０００７】
すなわち、本発明は、略中央部に形設された入江状切欠部と、当該入江状切欠部の一方の側に連成された止着片部形成用領域及び足挿入筒状部形成用領域と、当該入江状切欠部の他方の側に連成された固定ベルト部形成用領域と、当該入江状切欠部の奥部に連成された親指挿入筒状部形成用略半円状突出部とを有する一枚裁ち帯状生地を用い、
当該足挿入筒状部形成用領域を止着片部形成用領域方向に折り返し、その端辺縁部を当該略半円状突出部の足挿入筒状部形成用領域側基部からの垂下線に沿う位置に接合して、足挿入筒状部と共に止着片部を形成する工程（１）、及び当該略半円状突出部の略中央を回転軸として固定ベルト部形成用領域を当該入江状切欠部の手前側に１回転させてから、当該略半円状突出部の固定ベルト部形成用領域側基部からの垂下線に沿う部分を当該足挿入筒状部形成用領域の端辺縁部接合部位に合わせて接合して、親指挿入筒状部と共に固定ベルト部を形成する工程（２）を含むことを特徴とする外反母趾用サポーターの製造方法により上記課題を解決したものである。
【発明の効果】
【０００８】
本発明により得られた外反母趾用サポーターは、例えば接合を縫合で行ったとしても、縫い目等の接合部材は足挿入筒状部の外面及び親指挿入筒状部の外面のみに露出し、足挿入筒状部の内面及び親指挿入筒状部の内面には全く露出することがないので、装着時に足裏や第１趾〜第５趾、特に第１趾に縫い目等の接合部材との接触による痛みが発生することがない。その結果、快適な使用感と共に、親指を外方向に分離した長時間の装着が可能となるため、より効率的な外反母趾による疼痛軽減とその矯正効果を得ることができる。
【図面の簡単な説明】
【０００９】
【図１】本発明外反母趾用サポーターの製造方法に用いる帯状生地の正面説明図。
【図２】工程（１）により足挿入筒状部と共に止着片部を形成した状態を示す正面説明図。
【図３】工程（１）に続く工程（２）により親指挿入筒状部と共に固定ベルト部を形成した状態を示す正面説明図。
【図４】工程（１）に続く工程（２）により親指挿入筒状部と共に固定ベルト部を形成した状態を示す背面説明図。
【図５】本発明で得られた外反母趾用サポーターを示す正面説明図。
【図６】本発明で得られた外反母趾用サポーターの装着状態を示す斜視説明図。
【発明を実施するための形態】
【００１０】
以下本発明外反母趾用サポーターの製造方法について、右足用を例にとって、図１から図４を用いて説明する。左足用は本例と左右対称に製造される。
【００１１】
１０は一枚裁ち帯状生地で、その中央よりやや右側に入江状切欠部１１が形設されている。この入江状切欠部１１は、後述する固定ベルト部形成用領域１５をスムースに左回転して略半円状突出部１２により親指挿入筒状部１２Ａを形成するためのもので、略逆Ｃ字を呈しており、その奥部には親指挿入筒状部形成用略半円状突出部が連成されている。
【００１２】
当該入江状切欠部１１の左外側部には止着片部形成用領域１３及び足挿入筒状部形成用領域１４が連成されていると共に、当該入江状切欠部１１の右外側部には固定ベルト部形成用領域１５が連成されている。この固定ベルト部形成用領域１５は、その左回転により略半円状突出部１２で親指挿入筒状部１２Ａを足挿入筒状部形成用領域１４から略垂直方向に突出形成するために、当該足挿入筒状部形成領域１４から４０〜５０°、特に４５°程度上方に傾斜せしめて連成するのが望ましい。
帯状生地１０は、フィット性を高めるために生地に伸縮性があることが好ましい。ここで、本明細書において、生地に「伸縮性」があるとは、幅５０ｍｍ、つかみ間隔１００ｍｍの試験片を、２００ｍｍ／ｍｉｎの速度で引っ張り、９．８Ｎの荷重がかかった際に元の長さの１９０〜２３０％に伸長し、２２．１Ｎの荷重がかかった際に元の長さの２４０〜３１０％に伸長することを云う。
帯状生地１０の種類は特に限定されないが、ポリウレタン繊維、ナイロン繊維、コットン繊維等を用いることが装着し易さから好ましい。また、帯状生地１０の厚みは０．４〜０．９ｍｍ程度である。
【００１３】
先ず、斯かる帯状生地１０の足挿入筒状部形成用領域１４を止着片部形成用領域１３方向に折り返し（図１中の矢印参照）、その端辺縁部を当該略半円状突出部１２の足挿入筒状部形成用領域側基部からの垂下線２０に沿う位置（図１参照）に、縫合２０ａにより接合して、足挿入筒状部１４Ａと共に止着片部１３Ａを形成する工程（１）を行う（図２参照）。
当該接合する足挿入筒状部形成用領域１４の端辺縁部には適宜フリー遊び片部１４ａを設けるのが、縫い目等の接合部材が足挿入筒状部１４Ａの内面に露出することを防止する上で望ましい。
足挿入筒状部１４Ａの内側には、足裏に当接するウレタン等のクッション（図示せず）を接合して、外反母趾の矯正効果を高めてもよい。
【００１４】
次いで、当該略半円状突出部１２の略中央を回転軸として固定ベルト部形成用領域１５を入江状切欠部１１の手前側、つまり本例では左１回転（図２中の矢印参照）させてから、当該略半円状突出部１２の固定ベルト部形成用領域側基部からの垂下線３０に沿う部分（図１参照）を当該足挿入筒状部形成用領域１４の端辺縁部接合部位、すなわち垂下線２０の位置にあわせて縫合３０ａにより接合して、入江状切欠部１１の左右の辺縁が足の内側部中央において合わせ目１１ａとなる親指挿入筒状部１２Ａと共に固定ベルト部１５Ａを形成する工程（２）を行う（図３参照）。
尚、本例では、工程（１）に続いて工程（２）を行ったが、工程（１）よりも工程（２）を先に行ってもよい。
【００１５】
次いで、図５に示すように、固定ベルト部１５Ａの端部に面ファスナーとして機能するパイル生地片４０を縫着すると共に、足挿入筒状部１４Ａ外面部に当該パイル生地片４０内面との止脱用面ファスナー４１を付設し、さらに止着片部１３Ａの内面部に当該パイル生地片４０外面との止脱用面ファスナー４２を付設する。これにより、図６に示すように、前足部装着時に足挿入筒状部１４Ａの上部から固定ベルト部１５Ａで固定し、更に当該固定ベルト部１５Ａの上部から止着片部１３Ａで二重に保持固定することができるので、より安定した状態で、しかも外反母趾による痛みがなく、長時間快適な使用が可能となる。
また、固定ベルト部１５Ａには、前足部装着時に足裏に当接するパッド（図示せず）を付設すれば、より快適な使用感を得ることができる。当該パッドは、固定ベルト部１５Ａに固定付設してもよいが、面ファスナーとして機能するパイル生地と該生地との止脱用面ファスナーによって、任意の位置で取り外しできるように付設することが好ましい。当該パッド、固定ベルト部１５Ａには、パイル生地と止脱用面ファスナーのうちいずれを付けてもよい。
【符号の説明】
【００１６】
１０：帯状生地
１１：入江状切欠部
１１ａ：合わせ目
１２：略半円状突出部
１２Ａ：親指挿入筒状部
１３：止着片部形成用領域
１３Ａ：止着片部
１４：足挿入筒状部形成用領域
１４Ａ：足挿入筒状部
１４ａ：遊び片部
１５：固定ベルト部形成用領域
１５Ａ：固定ベルト部
２０：垂下線
２０ａ：縫合
３０：垂下線
３０ａ：縫合
４０：パイル生地片
４１、４２：面ファスナー
【図１】
2019176885.tif 000003
【図２】
2019176885.tif 000004
【図３】
2019176885.tif 000005
【図４】
2019176885.tif 000006
【図５】
2019176885.tif 000007
【図６】
2019176885.tif 000008